【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
送信局から受信局へとメッセージを通信する方法であって、
前記送信局が、少なくとも１つの変化する送信変数に基づいて、２以上ある再送信プロトコルから１つの再送信プロトコルを適応選択するステップ
を含み、前記送信局はローカルで利用可能な送信変数についての情報を有していることを特徴とする方法。
【請求項２】
第１の送信において前記メッセージについての前記第１のバージョンを送信するステップと、
第２の送信において前記メッセージを再送信するステップと
をさらに含み、
第２の送信において前記メッセージを再送信する前記ステップには、前記再送信プロトコルの適応選択に応じて、第１の再送信プロトコルにしたがった前記メッセージの第１のバージョンか、第２の再送信プロトコルにしたがった前記メッセージの第２のバージョンを選択的に送信するステップを含むことを特徴とする請求項１に記載の方法。
【請求項３】
２以上ある再送信プロトコルから１つの再送信プロトコルを適応選択する前記ステップは、前記メッセージの第１の送信と後続の送信との間でのチャネル品質の変化に基づいて、前記再送信プロトコルを適応選択するステップを含むことを特徴とする請求項１に記載の方法。
【請求項４】
チャネル品質の変化に基づいて再送信プロトコルを適応選択する前記ステップは、前記メッセージの第１の送信と前記メッセージの後続の送信との間での信号対雑音比の変化に基づいて、前記再送信プロトコルを適応選択するステップを含むことを特徴とする請求項３に記載の方法。
【請求項５】
チャネル品質の変化に基づいて再送信プロトコルを適応選択する前記ステップは、前記メッセージの１以上の送信についての平均と前記メッセージの後続の送信との間での有効信号対雑音比の変化に基づいて、前記再送信プロトコルを適応選択するステップを含むことを特徴とする請求項３に記載の方法。
【請求項６】
２以上ある再送信プロトコルから１つの再送信プロトコルを適応選択する前記ステップは、前記メッセージの前記第１の送信において使用された符号化率に基づいて、前記再送信プロトコルを適応選択するステップをさらに含むことを特徴とする請求項１又は３に記載の方法。
【請求項７】
２以上ある再送信プロトコルから１つの再送信プロトコルを適応選択する前記ステップは、
２以上ある前記再送信プロトコル間の相対的なプロトコル利得を決定するステップと、
決定された前記相対的なプロトコル利得に基づいて、前記再送信プロトコルを適応選択するステップと
を含むことを特徴とする請求項１に記載の方法。
【請求項８】
少なくとも１つの前記変化する送信変数についての異なる値に対応して、予め計算された複数の相対的なプロトコル利得をメモリに記憶するステップをさらに含むことを特徴とする請求項７に記載の方法。
【請求項９】
相対的なプロトコル利得を決定する前記ステップは、前記メモリに記憶されている予め計算された複数の前記相対的なプロトコル利得から１つの相対的なプロトコル利得を、少なくとも１つの前記変化する送信変数に基づいて選択するステップを含むことを特徴とする請求項８に記載の方法。
【請求項１０】
相対的なプロトコル利得を決定する前記ステップは、
前記メモリに記憶されている２以上の前記相対的なプロトコル利得を選択するステップと、
少なくとも１つの前記変化する送信変数に基づいて、選択された２以上の前記相対的なプロトコル利得間を補間するステップと
を含むことを特徴とする請求項８に記載の方法。
【請求項１１】
２以上ある再送信プロトコルから１つの再送信プロトコルを適応選択する前記ステップは、少なくとも１つの前記変化する送信変数に基づいて、増加的冗長プロトコル及び反復プロトコルの一方を適応選択するステップを含むことを特徴とする請求項１に記載の方法。
【請求項１２】
前記適応選択するステップは、チェイス合成プロトコルを適応選択するステップを含むことを特徴する請求項１１に記載の方法。
【請求項１３】
前記第１の送信において前記メッセージについての前記第１のバージョンを送信するステップは、意図的なビットおよび冗長ビットを含む自己復号可能なメッセージを送信するステップを含むことを特徴とする請求項２に記載の方法。
【請求項１４】
前記第２の送信において前記メッセージについての前記第２のバージョンを再送するステップは、前記メッセージについての前記第１のバージョンには含まれていなかった冗長的なビットを送信するステップを含むことを特徴とする請求項１３に記載の方法。
【請求項１５】
前記メッセージについての前記第２のバージョンは、意図的なビットを含むとともに、自己復号可能であることを特徴とする請求項１４に記載の方法。
【請求項１６】
送信機を制御するための制御回路であって、
少なくとも１つの変化する送信変数に基づいて、２以上ある再送信プロトコルから１つの再送信プロトコルを適応選択する論理回路
を含むことを特徴とする制御回路。
【請求項１７】
前記論理回路は、前記メッセージの第１の送信と前記メッセージの第２の送信との間でのチャネル品質の変化に基づいて、２以上ある再送信プロトコルから１つの再送信プロトコルを適応選択するよう構成されていることを特徴とする請求項１６に記載の制御回路。
【請求項１８】
前記チャネル品質の変化には、前記メッセージの前記第１の送信と前記メッセージの前記第２の送信との間での信号対雑音比の変化が含まれ、
前記論理回路は、前記信号対雑音比の変化に基づいて、２以上ある再送信プロトコルから１つの再送信プロトコルを適応選択するよう構成されていることを特徴とする請求項１７に記載の制御回路。
【請求項１９】
前記チャネル品質の変化には、前記メッセージについての複数回の送信の平均と前記第２の送信とを比較した有効信号対雑音比の変化が含まれ、
前記論理回路は、前記有効信号対雑音比の変化に基づいて、２以上ある再送信プロトコルから１つの再送信プロトコルを適応選択するよう構成されていることを特徴とする請求項１７に記載の制御回路。
【請求項２０】
前記論理回路は、前記第１の送信において使用された符号化率に基づいて、２以上ある再送信プロトコルから１つの再送信プロトコルを適応選択するよう構成されていることを特徴とする請求項１６に記載の制御回路。
【請求項２１】
前記論理回路は、２以上ある再送信プロトコル間の相対的なプロトコル利得を決定し、決定した前記相対的なプロトコル利得に基づいて、２以上ある前記再送信プロトコルから１つの前記再送信プロトコルを適応選択するよう構成されていることを特徴とする請求項１６に記載の制御回路。
【請求項２２】
少なくとも１つの前記変化する送信変数についての異なる値に対応して、予め計算された複数の相対的なプロトコル利得を記憶するメモリをさらに含むことを特徴とする請求項１６に記載の制御回路。
【請求項２３】
前記論理回路は、前記メモリに記憶されている予め計算された複数の前記相対的なプロトコル利得から１つの相対的なプロトコル利得を決定するよう構成されていることを特徴とする請求項２２に記載の制御回路。
【請求項２４】
前記論理回路は、少なくとも１つの前記変化する送信変数に基づいて、前記メモリに記憶されている予め計算された複数の前記相対的なプロトコル利得間を補完することによって、前記メモリに記憶されている予め計算された複数の前記相対的なプロトコル利得から１つの相対的なプロトコル利得を決定するよう構成されていることを特徴とする請求項２３に記載の制御回路。
【請求項２５】
前記論理回路は、増加的冗長プロトコルまたは反復プロトコルを選択するよう構成されていることを特徴とする請求項１６に記載の制御回路。
【請求項２６】
前記反復プロトコルには、チェイス合成プロトコルが含まれることを特徴とする請求項２５に記載の制御回路。
【請求項２７】
前記制御回路は、ＡＳＩＣの一部を含むことを特徴とする請求項１６に記載の制御回路。
【請求項２８】
送信回路であって、
第１の送信において送信するための符号化されたメッセージの第１のバージョンを生成し、第１の再送信プロトコルにしたがって前記符号化されたメッセージの第１の再送信バージョンを生成し、前記第２の再送信プロトコルにしたがって前記符号化されたメッセージの第２の再送信バージョンを生成する信号処理回路と、
請求項１６乃至２７のいずれか１項に記載された制御回路と
を含むことを特徴とする送信回路。
【請求項２９】
前記メッセージについての前記第１の再送信バージョンは、意図的なビットおよび冗長ビットを含み、
前記メッセージについての前記第２の再送信バージョンは、前記第１の再送信バージョンには含まれていない追加的な冗長ビットを含むことを特徴とする請求項２８に記載の送信回路。
【請求項３０】
前記メッセージについての前記第２の再送信バージョンは、意図的なビットを含むとともに、自己復号可能であることを特徴とする請求項２９に記載の送信回路。
【請求項３１】
請求項２８乃至３０のいずれか１項に記載された送信回路を含むことを特徴とする無線通信端末。
【請求項３２】
送信機の動作を制御するコンピュータプログラムを記録したコンピュータ可読記録媒体であって、
前記コンピュータプログラムによって前記送信機が、少なくとも１つの変化する送信変数に基づいて、２以上ある再送信プロトコルから１つの再送信プロトコルを適応選択し、前記送信局はローカルで利用可能な送信変数についての情報を有していることを特徴とするコンピュータ可読記録媒体。
【請求項３３】
前記コンピュータプログラムによって前記送信機が、
第１の送信において、前記メッセージの第１のバージョンを送信し、
第２の送信において、前記再送信プロトコルを適応選択に応じて、第１の再送信プロトコルにしたがった前記メッセージの第１の再送信バージョンか、第２の再送信プロトコルにしたがった前記メッセージの第２の再送信バージョンを選択的に送信する
ことを特徴とする請求項３２に記載のコンピュータ可読記録媒体。
【請求項３４】
前記コンピュータプログラムは、前記送信機に、
前記メッセージについての第１の送信と第２の送信との間におけるチャネル品質の変化に基づいて、２以上ある再送信プロトコルから１つの再送信プロトコルを適応選択させることを特徴とする請求項３２に記載のコンピュータ可読記録媒体。
【請求項３５】
前記チャネル品質の変化には、前記第１の送信と前記第２の送信との間での信号対雑音比の変化が含まれ、
前記コンピュータプログラムは、前記送信機に、前記信号対雑音比の変化に基づいて、２以上ある再送信プロトコルから１つの再送信プロトコルを選択させることを特徴とする請求項３３に記載のコンピュータ可読記録媒体。
【請求項３６】
前記チャネル品質の変化には、前記メッセージについての複数回の送信の平均と前記第２の送信とを比較した有効信号対雑音比の変化が含まれ、
前記コンピュータプログラムは、前記送信機に、前記有効信号対雑音比の変化に基づいて、２以上ある再送信プロトコルから１つの再送信プロトコルを選択させることを特徴とする請求項３４に記載のコンピュータ可読記録媒体。
【請求項３７】
前記コンピュータプログラムは、前記送信機に、前記第１の送信において使用された符号化率に基づいて、２以上ある再送信プロトコルから１つの再送信プロトコルを適応選択させることを特徴とする請求項３２に記載のコンピュータ可読記録媒体。
【請求項３８】
前記コンピュータプログラムは、前記送信機に、増加的冗長プロトコルまたは反復プロトコルを選択させることを特徴とする請求項３２に記載のコンピュータ可読記録媒体。